(57)【要約】【課題】本発明は、強度を向上させた包装装置を提供することを目的としている。【解決手段】包装装置１は、一端に第１の開口部１１ａ、他端に第２の開口部１１ｂ、この第２の開口部１１ｂと第１の開口部１１ａとに連通する通路１１ｃを備えた緩衝体１１であって、この緩衝体１１は、対向するシ−トの間に空気を内在しており、第１の開口部１１ａの縁部は緩衝体１１の第１の開口縁部であり、第２の開口部１１ｂの縁部は緩衝体１１の第２の開口縁部であり、緩衝体１１に当接して支持され、緩衝体１１の通路１１ｃ内を横断するように設けられた第１の剛性体１２と、この第１の剛性体１２に載置された被包装体１３とを有するものである。【選択図】図１
2005001754.tif 000002
【特許請求の範囲】
【請求項１】
一端に第１の開口部、他端に第２の開口部、この第２の開口部と前記第１の開口部とに連通する通路を備えた緩衝体であって、
この緩衝体は、対向するシ−トの間に空気を内在しており、
前記第１の開口部の縁部は第１の開口縁部であり、
前記第２の開口部の縁部は第２の開口縁部であり、
前記緩衝体に当接して支持され、前記緩衝体の前記通路内を横断するように設けられた第１の剛性体と、
この第１の剛性体に載置された被包装体と
を有することを特徴とする包装装置。
【請求項２】
被包装体を覆うカバ−体を第１の剛性体に取り付けられていることを特徴とする請求項１記載の包装装置。
【請求項３】
緩衝体に当接して支持され、前記緩衝体の通路内を横断するように設けられた第２の剛性体と、
この第２の剛性体の下に被包装体が位置していることを特徴とする請求項１記載の包装装置。
【請求項４】
第１の剛性体に載置された被包装体は、外周に係止部を有し、緩衝体に当接して支持され、前記緩衝体の通路内を横断するように設けられ、被係止部を有した第２の剛性体と、この第２の剛性体の下に前記第１の剛性体が位置し、前記第１の剛性体に載置された前記被包装体の前記係止部は、前記被係止部に係止していることを特徴とする請求項１記載の包装装置。
【請求項５】
第１の剛性体に載置された被包装体は、先端に係止部を有し、緩衝体に当接して支持され、前記緩衝体の通路内を横断するように設けられ、被係止部を有した第２の剛性体と、この第２の剛性体の下に前記第１の剛性体が位置し、前記第１の剛性体に載置された前記被包装体の前記係止部は、前記被係止部に係止していることを特徴とする請求項１記載の包装装置。
【請求項６】
被包装体は、一端に第１の係止部、他端に第２の係止部を有し、
第１の剛性体は、前記第１の係止部に係止される第１の被係止部を有し、
第２の剛性体は、緩衝体に当接して支持され、前記緩衝体の通路内を横断するように設けられ、前記第２の係止部に係止される第２の被係止部を有し、
前記第１の係止部が前記第１の被係止部に係止し、前記第２の係止部が前記第２の被係止部に係止して、前記被包装体が挟持されていることを特徴とする請求項１記載の包装装置。
【請求項７】
一端に第１の開口部、他端に第２の開口部、この第２の開口部と前記第１の開口部とに連通する通路を備えた緩衝体であって、
この緩衝体は、対向するシ−トの間に空気を内在しており、
前記第１の開口部の縁部は第１の開口縁部であり、
前記第２の開口部の縁部は第２の開口縁部であり、
前記緩衝体に当接して支持され、前記緩衝体の前記通路内を横断するように設けられた第１の剛性体と、
この第１の剛性体に取り付けられ、被包装体を収納する収納体と
を有することを特徴とする包装装置。
【請求項８】
第１の開口縁部及び第２の開口縁部に略平行で、対向するシ−トを連続的又は不連続的に直線状に付着してなる第１の付着部と、
第１の剛性体の周縁が前記第１の付着部に当接して支持されていることを特徴とする請求項１又は２記載の包装装置。
【請求項９】
第１の開口縁部及び第２の開口縁部に略平行で、対向するシ−トを連続的又は不連続的に直線状に付着してなる第１の付着部と、
第１の剛性体の周縁が前記第１の付着部に当接して支持され、
前記第１の開口縁部及び前記第２の開口縁部に略平行で、対向する前記シ−トを連続的又は不連続的に直線状に付着して、前記第１の付着部に略平行な第２の付着部と、
前記第２の剛性体の周縁が前記第２の付着部に当接して支持されていることを特徴とする請求項３、４、５、６又は７記載の包装装置。
【発明の詳細な説明】
【０００１】
本発明は、包装装置に係り、特に、強度を向上させた包装装置に関する。
【０００２】
【従来の技術】
従来、包装に使用される空気入り緩衝材、例えば、被包装体の周囲を空気入り緩衝材で被覆し、被包装体を外力等から保護している（例えば、特許文献１参照）。この空気入り緩衝材は、外力等を受けた場合、空気入り緩衝材が変形し、外力等が被包装体に直接作用しないようにして被包装体を保護するようにしている。
◎
【特許文献１】
特開２００３−１３７３５２号公報
【発明が解決しようとする課題】
しかしながら、外力等を受けた場合、空気入り緩衝材により緩和されるものの強度の点で、改善の余地があるという問題点が生じた。
本発明は、上述した問題点を改善するようにした包装装置を提供するものである。
【０００３】
【課題を解決するための手段】
上記目的を達成するために、請求項１記載の包装装置は、一端に第１の開口部、他端に第２の開口部、この第２の開口部と前記第１の開口部とに連通する通路を備えた緩衝体であって、この緩衝体は、対向するシ−トの間に空気を内在しており、前記第１の開口部の縁部は第１の開口縁部であり、前記第２の開口部の縁部は第２の開口縁部であり、前記緩衝体に当接して支持され、前記緩衝体の前記通路内を横断するように設けられた第１の剛性体と、この第１の剛性体に載置された被包装体とを有するものである。
【０００４】
また、請求項２記載の包装装置は、請求項１記載の包装装置において、被包装体を覆うカバ−体を第１の剛性体に取り付けられている。
【０００５】
また、請求項３記載の包装装置は、請求項１記載の包装装置において、緩衝体に当接して支持され、前記緩衝体の通路内を横断するように設けられた第２の剛性体と、この第２の剛性体の下に被包装体が位置している。
【０００６】
また、請求項４記載の包装装置は、請求項１記載の包装装置において、第１の剛性体に載置された被包装体は、外周に係止部を有し、緩衝体に当接して支持され、前記緩衝体の通路内を横断するように設けられ、被係止部を有した第２の剛性体と、この第２の剛性体の下に前記第１の剛性体が位置し、前記第１の剛性体に載置された前記被包装体の前記係止部は、前記被係止部に係止している。
【０００７】
また、請求項５記載の包装装置は、請求項１記載の包装装置において、先端に係止部を有し、緩衝体に当接して支持され、前記緩衝体の通路内を横断するように設けられ、被係止部を有した第２の剛性体と、この第２の剛性体の下に前記第１の剛性体が位置し、前記第１の剛性体に載置された前記被包装体の前記係止部は、前記被係止部に係止している。
【０００８】
また、請求項６記載の包装装置は、請求項１記載の包装装置において、被包装体は、一端に第１の係止部、他端に第２の係止部を有し、第１の剛性体は、前記第１の係止部に係止される第１の被係止部を有し、第２の剛性体は、緩衝体に当接して支持され、前記緩衝体の通路内を横断するように設けられ、前記第２の係止部に係止される第２の被係止部を有し、前記第１の係止部が前記第１の被係止部に係止し、前記第２の係止部が前記第２の被係止部に係止して、前記被包装体が挟持されている。
【０００９】
また、請求項７記載の包装装置は、一端に第１の開口部、他端に第２の開口部、この第２の開口部と前記第１の開口部とに連通する通路を備えた緩衝体であって、この緩衝体は、対向するシ−トの間に空気を内在しており、前記第１の開口部の縁部は第１の開口縁部であり、前記第２の開口部の縁部は第２の開口縁部であり、前記緩衝体に当接して支持され、前記緩衝体の前記通路内を横断するように設けられた第１の剛性体と、この第１の剛性体に取り付けられ、被包装体を収納する収納体とを有するものである。
【００１０】
また、請求項８記載の包装装置は、請求項１又は２記載の包装装置において、第１の開口縁部及び第２の開口縁部に略平行で、対向するシ−トを連続的又は不連続的に直線状に付着してなる第１の付着部と、第１の剛性体の周縁が前記第１の付着部に当接して支持されている。
【００１１】
また、請求項９記載の包装装置は、請求項３、４、５、６又は７記載の包装装置において、第１の開口縁部及び第２の開口縁部に略平行で、対向するシ−トを連続的又は不連続的に直線状に付着してなる第１の付着部と、第１の剛性体の周縁が前記第１の付着部に当接して支持され、前記第１の開口縁部及び前記第２の開口縁部に略平行で、対向する前記シ−トを連続的又は不連続的に直線状に付着して、前記第１の付着部に略平行な第２の付着部と、前記第２の剛性体の周縁が前記第２の付着部に当接して支持されている。
【００１２】
【実施例】
本発明の一実施例の包装装置を図面を参照して説明する。
Ｐは略直方体形状の包装箱で、包装装置１は、包装箱Ｐ内に収納されている（図１及び図２参照）。なお、包装装置１を構成する後述する緩衝体１１自体を強度的に強い部材で形成すれば、包装箱Ｐは必ずしも必要ではない。
包装装置１は、緩衝体１１と、この緩衝体１１に当接して支持され、緩衝体１１の通路１１ｃ内を横断するように設けられた第１の剛性体１２と、第１の剛性体１２に載置された被包装体１３と、第１の剛性体１２に取り付けられた被包装体１３を覆うカバ−体１４とから概略的に構成されている。
緩衝体１１は、図２に示すように、一端に（上部に）第１の開口部１１ａ、他端に（下部に）第２の開口部１１ｂ、この第２の開口部１１ｂと第１の開口部１１ａとに連通する通路１１ｃを備えている。言い換えれば、緩衝体１１は、通路１１ｃ、第１の開口部１１ａ及び第２の開口部１１ｂを囲むように形成されている。
【００１３】
緩衝体１１は、後述するように、対向するシ−トの間に形成される空間に空気を内在して形成され、緩衝体１１の第１の開口部１１ａの縁部は第１の開口縁部１１ａ’であり、緩衝体１１の第２の開口部１１ｂの縁部は第２の開口縁部１１ｂ’である。
また、第１の付着部１１ｄは、第１の開口縁部１１ａ’及び第２の開口縁部１１ｂ’に略平行で、対向する前記シ−トを連続的又は不連続的に直線状に付着（例えば、溶着）して形成される。
また、第２の付着部１１ｅは、第１の開口縁部１１ａ’及び第２の開口縁部１１ｂ’に略平行で、対向する前記シ−トを連続的又は不連続的に直線状に付着（例えば、溶着）して形成され、第１の付着部１１ｄと第１の開口縁部１１ａ’との間に設けられている。
【００１４】
また、第１の剛性体１２は、例えば、ダンボ−ル、プラスチック、プラ段（ダンボ−ルを樹脂化したもの）等で形成されて、緩衝体１１に当接して支持され、緩衝体１１の通路１１ｃ内に設けられている。
図１及び図２に示す第１の剛性体１２の周縁は、第１の付着部１１ｄに当接して支持され、望ましくは、本実施例のように、第１の剛性体１２の周縁は、該周縁の全周に亙って第１の付着部１１ｄに当接して支持されている。第１の剛性体１２の形状は、第１の開口部１１ａ及び第２の開口部１１ｂの形状に合わせて、例えば、矩形形状であり、かかる場合、緩衝体１１は、内部に中空部を有した略四角柱となる。
従って、第１の開口部１１ａ及び第２の開口部１１ｂの形状が円であれば、第１の剛性体１２の形状は円となり、緩衝体１１は、内部に中空部を有した略円柱であり、第１の開口部１１ａ及び第２の開口部１１ｂの形状が三角形であれば、第１の剛性体１２の形状は三角形となり、緩衝体１１は、内部に中空部を有した略三角柱となる。
【００１５】
第１の剛性体１２上の被包装体１３はカバ−体１４によって覆われ、望ましくは、カバ−体１４は、第１の開口縁部１１ａ’及び第２の開口縁部１１ｂ’より突出しないように、第１の剛性体１２に取り付けられている（取り付けは、例えば、接着剤で取り付けられている。）。カバ−体１４は、第１の剛性体１２と同様、例えば、ダンボ−ル、プラスチック、プラ段（ダンボ−ルを樹脂化したもの）等で形成され、断面形状が略逆Ｕ字形状となっている。
【００１６】
従って、この包装装置１によれば、緩衝体１１の通路１１ｃを横断する方向に力が作用しても、該力の一部を第１の剛性体１２で支持するため強度的に強く、しかも、第１の剛性体１２の周縁を第１の付着部１１ｄに当接させ支持するため、空気を内在した緩衝体１１に第１の剛性体１２を簡易に取り付けることができ、更に、第１の剛性体１２とカバ−体１４との間に被包装体１３を収納して、被包装体１３を外力から保護することができる。以下、同一部分に同一符号を付して、その説明を一部省略している。
【００１７】
上述の実施例においては、カバ−体１４を第１の剛性体１２に接着剤で取り付けたが、本願発明にあっては、これに限らず、図３に示すように、緩衝体１１に当接して支持される第２の剛性体１５としても良い。かかる場合、例えば、第２の剛性体１５の周縁を第１の付着部１１ｄに当接して支持するようにしても良い。即ち、第２の剛性体１５は、第２の開口縁部１１ｂ’より第１の開口縁部１１ａ’に近い側に位置し、第１の剛性体１２は、第１の開口縁部１１ａ’より第２の開口縁部１１ｂ’に近い側に位置している。そして、第２の剛性体１５の凹所１５ａの開口部は第１の剛性体１２に面し、被包装体１３は、第２の剛性体１５の凹所１５ａと第１の剛性体１２との間に設けられる。この第２の剛性体１５は、カバ−体１４と同様、例えば、ダンボ−ル、プラスチック、プラ段（ダンボ−ルを樹脂化したもの）等で形成される。
【００１８】
また、図４に示すように、凹所を第１の剛性体１２に設けても良い。即ち、第１の剛性体１２は、第１の開口縁部１１ａ’より第２の開口縁部１２ｂ’に近い側に位置し、第２の剛性体１５は、第２の開口縁部１１ｂ’より第１の開口縁部１１ａ’に近い側に位置している。そして、第１の剛性体１２の凹所１２ａの開口部は第２の剛性体１５に面し、被包装体１３は、第１の剛性体１２の凹所１２ａと第２の剛性体１５との間に設けられる。
【００１９】
また、上述の実施例では、カバ−体１４を設けたが、場合により、図５乃至図８に示すように、被包装体１３を第１の剛性体１２に置くだけでも良く、また、第１の剛性体１２の形状を、例えば、図５及び図６に示すように、断面が略Ｕ字形状にして、第１の剛性体１２の底面より立ち上がる部分で緩衝体１１に当接して支持するように、緩衝体１１の通路１１ｃ内を横断するように設けても良い。第１の剛性体１２の底面は、図６に示すように、第２の開口縁部１１ｂ’より上に、第１の剛性体１２の底面より立ち上がる部分の上端は、第１の開口縁部１１ａ’より下に、それぞれ位置していることが望ましい。
【００２０】
また、第１の剛性体１２の形状を、図７及び図８に示すように、断面が略Ｈ字形状にして、第１の剛性体１２の底面より上下方向に延びる部分で緩衝体１１に当接して支持するようにして、第１の剛性体１２を緩衝体１１の通路１１ｃ内を横断するように設けても良い。又、図７及び図８に示すように、第１の剛性体１２の底面より下方に垂下した下端の部分１２ａは第２の開口縁部１１ｂ’より上に、第１の剛性体１２の底面より上方に立ち上がった上端の部分１２ｂは第１の開口縁部１１ａ’より下に、それぞれ位置していることが望ましい。
【００２１】
また、図９及び図１０に示すように、被包装体１３を収納する収納体２０を第１の剛性体１２に取り付けても良い。取り付けは、例えば、収納体２０と第１の剛性体１２との当接部分に接着剤を介して取り付けるか、又は、収納体２０と第１の剛性体１２との当接部分に図示しない面状ファスナ−を収納体２０と第１の剛性体１２とにそれぞれ取り付け、収納体２０を第１の剛性体１２に対して着脱自在としても良い。
この場合、第１の剛性体１２は、緩衝体１１に当接して支持され、緩衝体１１の通路１１内を横断するように設けられている。第１の剛性体１２は、望ましくは、第１の剛性体１２の周縁を第１の付着部１１ｄに当接させて支持させる。また、収納体２０は、収納体２０の開口部を閉じる蓋２０ａを有している。蓋２０ａは必ずしも必要ではない。
【００２２】
上述の実施例においては、第１の剛性体１２、第２の剛性体１５の周縁を第１の付着部１１ｄに当接して支持させたが、本願発明にあっては、これに限らず、緩衝体１１に当接して支持され、緩衝体１１の通路１１ｃ内を横断するように設けた第２の剛性体１６の周縁を、図１１に示すように、第２の付着部１１ｅに当接して支持されるようにしても良い。この場合、第２の剛性体１６の下に被包装体１３が位置する。つまり、被包装体１３は、第２の剛性体１６と第１の剛性体１２との間に設けられることとなる。この第２の剛性体１６は、第１の剛性体１２と同様、例えば、ダンボ−ル、プラスチック、プラ段（ダンボ−ルを樹脂化したもの）等で形成される。
なお、図１２乃至図１４に示すように、第２の剛性体１６を、分割片１６’、１６”として、例えば、第１の剛性体１２上に被包装体１３を入れた後、分割片１６’をスライドさせ、第２の剛性体１６と第１の剛性体１２との間に被包装体１３を収納させるようにしても良い。なお、分割片１６’をスライドさせた後、分割片１６’、１６”の周縁は第２の付着部１１ｅに当接して支持される。
【００２３】
上述の実施例においては、被包装体１３を第２の剛性体１６と第１の剛性体１２との間に設けたが、被包装体１３’が小さい場合、図１５に示すように、第２の剛性体１６と第１の剛性体１２との間を更に区画する仕切り壁２０を設け、仕切り壁２０に設けた室に被包装体１３’を設けるようにしても良いし、被包装体１３’、１３”の形状が異なる場合、図１６に示すように、該形状に見合うように仕切り壁２０’で対応するようにしても良い。
【００２４】
また、図１７に示すように、第１の剛性体１２に載置された被包装体１３の外周に有した係止部１３ａを第２の剛性体１６の被係止部１６ａに係止させて被包装体１３の移動を阻止することができ、被包装体１３の端部が第１の開口縁部１１ａ’を超えないようにして包装装置１を包装箱Ｐ内に入れ、第１の開口縁部１１ａ’を上、第２の開口縁部１１ｂ’を下にして搬送する。
【００２５】
また、図１８、図１９に示すような端部が突出した係止部１３’ａ（例えば、突出部）、つまり、先端に係止部１３’ａを備えた被包装体１３’にあっては、緩衝体１１に当接して支持される第２の剛性体１６に係止部１３’ａに係止される被係止部１６ａ（例えば、孔）を設けると良い。第２の剛性体１６の周縁は第２の付着部１１ｅに当接して、第２の剛性体１６が緩衝体１１に支持される。第２の剛性体１６の下に被包装体１３が位置し、係止部１３’ａは、被係止部１６ａに係止する。つまり、第１の剛性体１２に載置された被包装体１３’の係止部１３’ａは、第２の剛性体１６の被係止部１６ａに係止し、被包装体１３’は包装される。
【００２６】
また、場合により、図２０及び図２１に示すように、第１の剛性体１２に載置された被包装体１３を第２の剛性体１６に設けた被係止部１６ａにより係止するようにしても良い。即ち、第１の剛性体１２に載置された被包装体１３は、外周に係止部を有し、第２の剛性体１６の下に被包装体１３が位置し、前記係止部は、被係止部１６ａに係止している。なお、第２の剛性体１６は、上述と同様、緩衝体１１に当接して支持され、緩衝体１１の通路１１ｃ内を横断するように設けられている。
なお、図２０、図２１においては、第２の剛性体１６を一体物で構成したが、図２２、図２３に示すように、第２の剛性体１６を分割して構成しても良い。１６ａは、被包装体１３’の係止部１３’ａに係止される被係止部である。また、１０’は、分割された第２の剛性体１６に跨がって、被係止部１６ａを保持する粘着テ−プである。なお、この包装装置１にあっては、被包装体１３’の端部側に第１の係止部１３’ａを備えたものを包装される場合に好適である。
【００２７】
また、図２６に示すような一端と他端にそれぞれ第１、第２の係止部１３’ｂ、１３’ａを備えた被包装体１３’にあっては、第１の剛性体１２に載置された被包装体１３は、第２の剛性体１６の下に被包装体１３が位置し、第１の係止部１３’ｂが第１の被係止部１２ａに係止し、第２の係止部１３’ａが第２の被係止部１６ａに係止し、被包装体１３が第１の剛性体１２、第２の剛性体１６により挟持されるようにすると良い。
即ち、図２４乃至図２６に示すように、第１の剛性体１２は、第１の剛性体１２の周縁が第１の付着部１１ｄに当接して支持されると共に、緩衝体１１の通路１１ｃ内に設けられ、第１の被係止部１２ａを有する。また、第２の剛性体１６は、第２の剛性体１６の周縁が第２の付着部１１ｅに当接して支持されると共に、緩衝体１１の通路１１ｃ内に設けられ、第２の被係止部１６ａを有する。なお、この包装装置１にあっては、被包装体１３’の一端に第１の係止部１３’ｂ、被包装体１３’の他端に第２の係止部１３’ａを備えたものを包装される場合に好適である。
【００２８】
上述した緩衝体１１は、例えば、図２７に示す矩形形状のシ−ト状部材Ｓ１  と矩形形状のシ−ト状部材Ｓ２  との間に逆止弁の機能を有する緩衝体１１に空気を入れる通路Ｔを位置させる。Ｋは、逆止弁の機能を有するための切れ込みである。
なお、二枚の矩形形状のシ−ト状部材Ｓ１  、矩形形状のシ−ト状部材Ｓ２  の代わりに一枚の矩形形状のシ−ト状部材（図示せず）を折り返して形成しても良い。
【００２９】
次に、シ−ト状部材Ｓ１  、通路Ｔ、シ−ト状部材Ｓ２  と重ね、図２８に示すように、シ−ト状部材Ｓ１  、Ｓ２  の周縁を付着（例えば、溶着）すると共に、矩形形状のシ−ト状部材Ｓ１  、Ｓ２  の長辺に略平行で、矩形形状の矩形形状のシ−ト状部材Ｓ１  、Ｓ２  を横断するように、対向するシ−ト状部材Ｓ１  、Ｓ２  を連続的又は不連続的に直線状に付着（例えば、溶着）させて第１の付着部１１ｄを形成する。第１の開口縁部１１ａ’、第２の開口縁部１１ｂ’及び第１の付着部１１ｄに略平行で、第１の開口縁部１１ａ’と第１の付着部１１ｄとの間であって、矩形形状の矩形形状のシ−ト状部材Ｓ１  、Ｓ２  を横断するように、対向するシ−ト状部材Ｓ１  、Ｓ２  を連続的又は不連続的に直線状に付着（例えば、溶着）させて第２の付着部１１ｅを形成する。又、第１の付着部１１ｄ、第２の付着部１１ｅに略直交し、矩形形状のシ−ト状部材Ｓ１  、Ｓ２  の短辺に略平行に、対向するシ−ト状部材Ｓ１  、Ｓ２  を連続的又は不連続的に直線状に付着（例えば、溶着）させて第３の付着部１１ｆ、第４の付着部１１ｇ、第５の付着部１１ｈを形成する。
なお、シ−ト状部材Ｓ１  、Ｓ２  の周縁の付着、第１の付着部１１ｄ、第２の付着部１１ｅ、第３の付着部１１ｆ、第４の付着部１１ｇ、第５の付着部１１ｈは、例えば、同時に溶着させて形成する。
そして、通路Ｔより空気を緩衝体１１内に入れ、図２９に示すように、第１の剛性体１２を第１の付着部１１ｄに当接させ，第３の付着部１１ｆ、第４の付着部１１ｇ、第５の付着部１１ｈより折曲し、折曲した状態を保持するために、例えば、粘着テ−プ１０で、第１の外周正面Ａと第１の外周左側面Ｄが離間しないように、第１の外周正面Ａと第１の外周左側面Ｄ）に跨がるように設ける。また、Ｂは第１の外周右側面、Ｃは第１の外周背面であり、第１の外周正面Ａ、第１の外周右側面Ｂ、第１の外周背面Ｃ、第１の外周左側面Ｄは、例えば、図２に示す包装箱Ｐの正面の内壁面、包装箱Ｐの右側面の内壁面、包装箱Ｐの背面の内壁面、包装箱Ｐの左側面の内壁面にそれぞれ当接するようになっている。
【００３０】
なお、本実施例においては、緩衝体１１を粘着テ−プ１０で、第１の外周正面Ａと第１の外周左側面Ｄが離間しないように、第１の外周正面Ａと第１の外周左側面Ｄに跨がるように粘着テ−プ１０を設けたが、本願発明にあっては、これに限らず、第１の外周正面Ａと第１の外周左側面Ｄとが対向する辺を付着（例えば、溶着）させて、一体物としても良い。その際、緩衝体１１は、ある程度弾性を有するから、第１の剛性体１２の周縁を第１の付着部１１ｄに当接させて、第１の剛性体１２を空気を内在した緩衝体１１に取り付けることができる。
【００３１】
【発明の効果】
請求項１記載の包装装置によれば、緩衝体に当接して支持された第１の剛性体を緩衝体の通路内を横断するように設けられているため、緩衝体の通路を横断する方向に力が作用しても、該力の一部を第１の剛性体で支持するため強度的に強く、被包装体を外力から保護することができる。
【００３２】
また、請求項２記載の包装装置によれば、前述した請求項１記載の発明の効果に加え、被包装体を覆うカバ−体を第１の剛性体に取り付けられているため、被包装体を外力からより保護することができる。
【００３３】
また、請求項３記載の包装装置によれば、前述した請求項１記載の発明の効果に加え、緩衝体に当接して支持された第２の剛性体を緩衝体の通路内を横断するように設けられているため、緩衝体の通路を横断する方向に力が作用しても、該力の一部を第２の剛性体で支持するため強度的に強く、被包装体を外力からより保護することができ、しかも、被包装体は第１の剛性体と第２の剛性体の間に位置するため、被包装体の移動を規制して被包装体を保護することができる。
【００３４】
また、請求項４又は５記載の包装装置によれば、前述した請求項１記載の発明の効果に加え、緩衝体に当接して支持された第２の剛性体を緩衝体の通路内を横断するように設けられているため、緩衝体の通路を横断する方向に力が作用しても、該力の一部を第２の剛性体で支持するため強度的に強く、被包装体を外力からより保護することができ、しかも、第１の剛性体に載置された被包装体の係止部は第２の剛性体の被係止部に係止するため、被包装体の移動を規制して被包装体を保護することができる。
【００３５】
また、請求項６記載の包装装置によれば、前述した請求項１記載の発明の効果に加え、緩衝体に当接して支持された第２の剛性体を緩衝体の通路内を横断するように設けられているため、緩衝体の通路を横断する方向に力が作用しても、該力の一部を第２の剛性体で支持するため強度的に強く、被包装体を外力からより保護することができ、しかも、第１の係止部は第１の被係止部に、第２の係止部は第２の被係止部に、それぞれ係止して、被包装体が挟持されるため、被包装体の移動を規制して被包装体を保護することができる。
【００３６】
また、請求項７記載の包装装置によれば、前述した請求項１記載の発明の効果に加え、収納体に被包装体を収納できるため、被包装体を外力からより保護することができる。
【００３７】
また、請求項８記載の包装装置によれば、第１の剛性体の周縁を第１の付着部に当接して支持されているため、空気を内在した緩衝体に第１の剛性体を簡易に取り付けることができる。
【００３８】
また、請求項９記載の包装装置によれば、第１の剛性体の周縁を第１の付着部に、第２の剛性体の周縁を第２の付着部に、それぞれ当接して支持されているため、空気を内在した緩衝体に第１、第２の剛性体を簡易に取り付けることができる。
【図面の簡単な説明】
【図１】本発明の一実施例の包装装置を包装箱内に入れた状態の概略的断面図である。
【図２】図１を分解して示す概略的分解斜視図である。
【図３】図１の包装装置の他の実施例を示す概略的断面図である。
【図４】図３の包装装置の他の実施例を示す概略的断面図である。
【図５】図４の包装装置の他の実施例を示す概略的分解斜視図である。
【図６】図５の包装装置の概略的断面図である。
【図７】図５の包装装置の他の実施例を示す概略的分解斜視図である。
【図８】図７の包装装置の概略的断面図である。
【図９】図８の包装装置の他の実施例を示す概略的断面図である。
【図１０】図９の包装装置に被包装体を入れた状態の概略的断面図である。
【図１１】図１０の包装装置の他の実施例を示す概略的断面図である。
【図１２】図１１の包装装置の他の実施例を示す概略的分解斜視図である。
【図１３】図１２の包装装置の使用状態の概略的断面図である。
【図１４】図１２の包装装置に被包装体を入れた状態の概略的断面図である。
【図１５】図１２の包装装置の他の実施例を示す概略的分解斜視図である。
【図１６】図１５の包装装置の他の実施例を示す概略的分解斜視図である。
【図１７】図１６の包装装置の他の実施例を示す概略的断面図である。
【図１８】図１７の包装装置の他の実施例を示す概略的断面図である。
【図１９】図１８の包装装置の概略的分解斜視図である。
【図２０】図１９の包装装置の他の実施例を示す概略的分解斜視図である。
【図２１】図２０の包装装置の概略的断面図である。
【図２２】図２１の包装装置の他の実施例を示す概略的分解斜視図である。
【図２３】図２２の包装装置の概略的断面図である。
【図２４】図２３の包装装置の他の実施例を示す概略的分解斜視図である。
【図２５】図２４の一部を分解して示す概略的分解斜視図である。
【図２６】図２４の包装装置を包装箱に組み込んだ状態の概略的断面図である。
【図２７】図１に組み込まれる緩衝体の製造工程を示す概略的斜視図である。
【図２８】図３のシ−トを付着した状態の概略的正面図である。
【図２９】図４の緩衝体に空気を入れ、第１の剛性体の装着状態を示す概略的斜視図である。
【符号の説明】
１・・包装装置，１１・・緩衝体，１１ａ・・第１の開口部，１１ｂ・・第２の開口部，１１ｃ・・通路
【図１】
2005001754.tif 000003
【図２】
2005001754.tif 000004
【図３】
2005001754.tif 000005
【図４】
2005001754.tif 000006
【図５】
2005001754.tif 000007
【図６】
2005001754.tif 000008
【図７】
2005001754.tif 000009
【図８】
2005001754.tif 000010
【図９】
2005001754.tif 000011
【図１０】
2005001754.tif 000012
【図１１】
2005001754.tif 000013
【図１２】
2005001754.tif 000014
【図１３】
2005001754.tif 000015
【図１４】
2005001754.tif 000016
【図１５】
2005001754.tif 000017
【図１６】
2005001754.tif 000018
【図１７】
2005001754.tif 000019
【図１８】
2005001754.tif 000020
【図１９】
2005001754.tif 000021
【図２０】
2005001754.tif 000022
【図２１】
2005001754.tif 000023
【図２２】
2005001754.tif 000024
【図２３】
2005001754.tif 000025
【図２４】
2005001754.tif 000026
【図２５】
2005001754.tif 000027
【図２６】
2005001754.tif 000028
【図２７】
2005001754.tif 000029
【図２８】
2005001754.tif 000030
【図２９】
2005001754.tif 000031